(57)【要約】【課題】  手摺や把手などの構造物を、壁面に、強度を持たせて確実に取付けることができる壁面への構造物取付け具と、この構造物取付け具を使用した壁面への構造物取付け方法を提供する。【解決手段】  平面視ほぼ同一形状の２枚のプレート２，３とボルト４およびナット８とからなるもので、一方のプレート２は、外周縁部に前記ボルト３が固定され、他方のプレート４は、前記ボルト４の固定位置と相対する部位に貫通孔５が形成され、前記ボルト４を貫通孔５に挿通し、他方のプレート３をボルト４に対して回転自在に保持させるとともに、ボルト４に係合させたナット８によって２枚のプレート２，３を、ボルト４を中心として一部積層状態を保持しながら対称的に拡開して固定するよう構成して壁面への構造物取付け具１とする。【選択図】      図１
2005350899.tif 000002
【特許請求の範囲】
【請求項１】
平面視ほぼ同一形状の二枚のプレートとボルトおよびナットとからなるもので、
一方のプレートは、外周縁部に前記ボルトが固定され、
他方のプレートは、前記ボルトの固定位置と相対する部位に貫通孔が形成され、
前記ボルトを貫通孔に挿通し、他方のプレートをボルトに対して回転自在に保持させるとともに、ボルトに係合させたナットによって２枚のプレートを、ボルトを中心として一部積層状態を保持しながら対称的に拡開して固定するよう構成したこと
を特徴とする壁面への構造物取付け具。
【請求項２】
前記他方のプレートは、
ボルトを中心として一方のプレートと一部積層状態を保持しながら対称的に拡開して固定されるに際、前記積層部と反対側に共通平面が形成されるよう係合段部が形成されていること
を特徴とする請求項１に記載の壁面への構造物取付け具。
【請求項３】
前記一方のプレートは、
ボルト固定側の面に、ボルトを挟んだ左右対称位置に係合突起が形成され、この係合突起と相対する他方のプレートには、前記各係合突起を受入れる係合孔が形成されていること
を特徴とする請求項１に記載の壁面への構造物取付け具。
【請求項４】
前記２枚のプレートは、
構造物を取付けようとする壁面に設けられた壁孔とほぼ同一形状で、かつ壁孔を通過し得る形状であること
を特徴とする請求項１〜３のいずれかに記載の壁面への構造物取付け具。
【請求項５】
前記２枚のプレートは、
いずれも円盤状であること
を特徴とする請求項１〜４のいずれかに記載の壁面への構造物取付け具。
【請求項６】
構造物を取付けようとする壁面に設けられた壁孔とほぼ同一形状で、かつ壁孔を通過し得る形状に形成された２枚のプレートのうち、外周縁部にボルトを偏心状態で固定された一方のプレートに、前記ボルトの固定位置と相対する部位に貫通孔が形成された他方のプレートを、前記ボルトを共通にして回転可能に重ね合わせた状態で保持させて仮止めしたのち、
ボルトの先端部を把持しながら、壁面に設けられた壁孔を通して２枚のプレートを壁裏面に配置し、仮止めを解き、ボルトを回転させるか、もしくはボルトに回転可能に装着した他方のプレートの自重を利用して、２枚のプレートを、ボルトを中心として一部積層状態を保持しながら対称的に拡開させて固定すること
を特徴とする壁面への構造物の取付け方法。
【請求項７】
前記拡開した２枚のプレートの壁面への固定は、
前記ボルトの先端部を壁孔から突出させ、突出したボルトの軸部に固定板を挿通させたのち、前記軸部とほぼ同径の挿通孔を有する樹脂製の係止板をボルトに圧入しながら装着し、前記固定板を壁表面に固定すること
を特徴とする請求項６に記載の壁面への構造物の取付け方法。
【請求項８】
前記ボルトは、
後付けする構造物の取付けに用いられるものであること
を特徴とする請求項６又は７に記載の壁面への構造物の取付け方法。
【発明の詳細な説明】
【技術分野】
【０００１】
この発明は、既存の壁面に後付けで、手摺や把手などの構造物を取付けるための取付け具と、この取付け具を使用した壁面への構造物取付け方法に関するもので、住居などの建築物の内装技術に関するものである。
【背景技術】
【０００２】
既存の壁面に後付けで、手摺や把手などの構造物を取付けるに際、壁面が比較的強度の小さい材質からなる材料で構成されている場合、あるいは厚みが薄くて強度が小さい壁面である場合には、壁面の強度を補うために、壁面、特にその裏側を補強しながら行われている。
【０００３】
例えば、比較的強度の小さい壁面に手摺などの構造物を取付ける手段として、特開平０９−０７２３１８号公報（特許文献１）においては、可撓性を有する細長い引張部材を、複数の構造物取付け具にそれぞれ穿設した挿通孔に差し込んだ後、引張部材を把持しつつ、壁裏補強板を、壁孔を通して裏面側に移動させ、ついで、引張部材の端部を表面側に引っ張り、構造物取付け具の挿通孔同士を位置合わせし、構造物取付け具を互いに交差状に開かせ、端部を壁面の壁孔周りに係合させる。ついで、固定ねじを表面側に配置される壁表補強材の加圧孔に差し込んだのち、この固定ねじを、少なくとも壁面から最も遠い側の構造物取付け具に形成したねじ孔にねじ込み、壁表補強材の端部と構造物取付け具の端部とを壁面の壁孔周りに加圧させて取付ける方法が提案されている。
【０００４】
また、特許第３４４０６５６号公報（特許文献２）においては、補強材の取付けに際し、複数の構造物取付け具の内の、壁面から最も遠い側に配置される壁裏補強板に取付けられた固定ねじの一端側に、他の構造物取付け具を保持させるとともに、この固定ねじの他端側を壁面の表面側に配置される壁表補強材の加圧孔に差し込んだ後、この他端側にナット部材をねじ込み、つぎに、構造物取付け具を、壁孔を通して裏面側に移動させた後、構造物取付け具を回動して、構造物取付け具の端部が壁面の壁孔周りに係合できるように、構造物取付け具を互いに交差状に開かせる。つぎに、上記固定ねじを表面側に引いて、上記ナット部材を更にねじ込み、壁表補強材の端部と構造物取付け具の端部とを壁面の壁孔周りに加圧させるように取付ける方法が提案されている。
【０００５】
さらに、特許第３４３７１３７号公報（特許文献３）では、先端部に被固定物の固定機能を有する軸に基部側が回動可能に連結された複数の壁裏当接板と、壁材の孔に略対応した形状に形成され、その軸孔に前記軸が挿通される孔嵌合部材とを備えた固定具を用い、その固定具の複数の壁裏当接板を、先端部が軸に対して同一方向に向いた略積層状態で前記壁材の孔に表面側から挿通し、軸の回動動作に連動させつつ同方向に回動させ、その先端部を拡開して壁材の裏面に当接させると共に、前記孔に嵌合された孔嵌合部材の軸孔から軸を壁材の表面側に突出させ、当該軸の突出部分に被固定物を固定する方法が提案されている。
【特許文献１】特開平０９−０７２３１８号公報（特許請求の範囲）
【特許文献２】特許第３４４０６５６号公報    （特許請求の範囲）
【特許文献３】特許第３４３７１３７号公報    （特許請求の範囲）
【発明の開示】
【発明が解決しようとする課題】
【０００６】
既存の壁面に後付けで、手摺や把手などの構造物を取付けるに際し、壁面の強度を補うために、壁面の裏側に補強板を設けることについての提案が種々行われている。特に、上記のように、壁面の強度を上げるために、複数の補強材を組み合せて用い、壁面に設けられた壁孔を介して壁裏に送入し、その後、裏壁面において交差状に配設する方法も多く提案され、それにより壁面の強度の向上が図られている。
【０００７】
これら公知の方法は、強度の向上については特段の問題が認められないものの、裏壁面で交差状に配設し、壁面の強度を向上させるためには、補強材の長さを、特許文献１あるいは２に示されるように、壁孔の孔径よりかなり長いものにしなければならない。また、壁孔を介して壁裏に送入する際、特許文献２の図４に示されるように、積層した補強材を斜めにして、壁裏に送入する必要があるので、壁裏にそれなりの空間部を要し、現在の居住環境では、適用できないことが度々発生し、その解決が求められているのが現状である。
【０００８】
その問題の解決をするために、特許文献３では、従来の補強材を二分して積層し、基部側を回動可能に連結した補強材が提案されている。しかしながら、その長さは二分したにも関わらず、孔径よりも長くなり、図７に示されるように、壁裏に送入する際、壁孔に対して斜めにせざるを得ない。さらに、積層することにより、その厚みが大きくなるため、壁裏の空間部も、それなりに必要となり、問題解決には限界がある。
【０００９】
この発明はかかる問題点に鑑み、壁裏に要求される空間部を可及的に少なくし、取付け操作も簡便で、手摺や把手などの構造物を、壁面に、強度を持たせて確実に取付けることができる壁面への構造物取付け具と、この構造物取付け具を使用した壁面への構造物取付け方法提供せんとするものである。
【課題を解決するための手段】
【００１０】
前記の目的を達成するため、この発明の請求項１に記載の発明は、
平面視ほぼ同一形状の二枚のプレートとボルトおよびナットとからなるもので、
一方のプレートは、外周縁部に前記ボルトが固定され、
他方のプレートは、前記ボルトの固定位置と相対する部位に貫通孔が形成され、
前記ボルトを貫通孔に挿通し、他方のプレートをボルトに対して回転自在に保持させるとともに、ボルトに係合させたナットによって２枚のプレートを、ボルトを中心として一部積層状態を保持しながら対称的に拡開して固定するよう構成したこと
を特徴とする壁面への構造物取付け具である。
【００１１】
また、この発明の請求項２に記載の発明は、
請求項１に記載の壁面への構造物取付け具において、
前記他方のプレートは、
ボルトを中心として一方のプレートと一部積層状態を保持しながら対称的に拡開して固定されるに際、前記積層部と反対側に共通平面が形成されるよう係合段部が形成されていること
を特徴とするものである。
【００１２】
また、この発明の請求項３に記載の発明は、
請求項１に記載の壁面への構造物取付け具において、
前記一方のプレートは、
ボルト固定側の面に、ボルトを挟んだ左右対称位置に係合突起が形成され、この係合突起と相対する他方のプレートには、前記各係合突起を受入れる係合孔が形成されていること
を特徴とするものである。
【００１３】
また、この発明の請求項４に記載の発明は、
請求項１〜３のいずれかに記載の壁面への構造物取付け具において、
前記２枚のプレートは、
構造物を取付けようとする壁面に設けられた壁孔とほぼ同一形状で、かつ壁孔を通過し得る形状であること
を特徴とするものである。
【００１４】
また、この発明の請求項５に記載の発明は、
請求項１〜４のいずれかに記載の壁面への構造物取付け具において、
前記２枚のプレートは、
いずれも円盤状であること
を特徴とするものである。
【００１５】
さらに、この発明の請求項６に記載の発明は、
構造物を取付けようとする壁面に設けられた壁孔とほぼ同一形状で、かつ壁孔を通過し得る形状に形成された２枚のプレートのうち、外周縁部にボルトを偏心状態で固定された一方のプレートに、前記ボルトの固定位置と相対する部位に貫通孔が形成された他方のプレートを、前記ボルトを共通にして回転可能に重ね合わせた状態で保持させて仮止めしたのち、
ボルトの先端部を把持しながら、壁面に設けられた壁孔を通して２枚のプレートを壁裏面に配置し、仮止めを解き、ボルトを回転させるか、もしくはボルトに回転可能に装着した他方のプレートの自重を利用して、２枚のプレートを、ボルトを中心として一部積層状態を保持しながら対称的に拡開させて固定すること
を特徴とする壁面への構造物の取付け方法である。
【００１６】
さらにまた、この発明の請求項７に記載の発明は、
請求項６に記載の壁面への構造物の取付け方法において、
前記拡開した２枚のプレートの壁面への固定は、
前記ボルトの先端部を壁孔から突出させ、突出したボルトの軸部に固定板を挿通させたのち、前記軸部とほぼ同径の挿通孔を有する樹脂製の係止板をボルトに圧入しながら装着し、前記固定板を壁表面に固定すること
を特徴とするものである。
【００１７】
さらにまた、この発明の請求項８に記載の発明は、
請求項６又は７に記載の壁面への構造物の取付け方法において、
前記ボルトは、
後付けする構造物の取付けに用いられるものであること
を特徴とするものである。
【発明の効果】
【００１８】
この発明の壁面への構造物取付け具は、２枚のプレートと、１本のボルトおよびナットとから構成されるものであるため、きわめて構造が簡単で、しかも誰もが容易に利用できるという実用上優れた効果を発揮するものである。
【００１９】
特に、この発明においては、プレートに偏心させて固定したボルトに、ほぼ同形のプレートを偏心状態で回動自在に装着し、両プレートを重合させた状態で壁孔から挿入し、壁面の裏面において、両プレートを、前記ボルトを中心として対称位置に展開させて壁面との当接面積を拡げることによって、簡単かつ容易に構造物を装着せんとする壁面の強度を確実に保持することができる。
【００２０】
また、この発明において、２枚のプレートを、前記のように拡開、すなわち展開させた状態で、ボルトの基端側でボルトを偏心固定したプレートと重なり合うプレートの一部に、プレートの厚みに等しい係合段部を形成することによって、積層部と反対側に共通平面が形成されるので、各プレートと壁の裏面との密着度が確実に確保でき、壁の補強をより確かなものとすることができる。
【００２１】
また、一方のプレートに対する前記係合段部の形成の他に、ボルトが固定されるプレートのボルト固定面側には、ボルトを挟んで一対の係合突起を、また、この係合突起と相対する他方のプレートには、それぞれ係合孔を形成し、両プレートが展開状態においてボルト近傍で重なり合った時、前記係合突起と係合孔とを互いに係合させることによって、展開状態におけるプレート同士の位置ズレを防ぎ、各プレートと壁の裏面との密着度をより一層確実に確保することができる。
【００２２】
さらに、この発明の壁面への構造物取付け方法は、一方のプレートにボルトを偏心状態で固定し、そのボルトに、他方のプレートを回転可能に保持させ、２枚のプレートを互いに重ね合せた後、壁面に設けられた壁孔を通して、２枚のプレートを壁裏面に配置し、２枚のプレートを拡開させて固定するという、単純で容易な操作で２枚のプレートを壁面の裏側に確実に後付けできる。しかも、該プレートを用いることにより、手摺や把手などの構造物を確実に、かつ強固に、壁面の裏側の空間部が非常に狭小であっても、容易に壁面に取付けることができるという効果を奏するものである。
【発明を実施するための最良の形態】
【００２３】
以下、この発明にかかる壁面への構造物取付け具と、この構造物取付け具を使用した壁面への構造物取付け方法について、添付の図面を参照して具体的に説明するが、この発明は実施例にのみ限定されるものではなく、発明の要旨を変更しない範囲内において種々変更することが可能なものである。
【００２４】
この発明の最大の特徴は、既存の壁面に手摺りなどの構造物を後付けする場合、壁面の裏側に取付けられ、壁面の強度を補うために、平面視ほぼ同一形状の２枚のプレートとボルトを用い、一方のプレートにはボルトが固定され、他方のプレートには、そのボルトを挿入する貫通孔を設け、ボルトの貫通したプレートは、ボルトにそれを軸として回転自在に保持し、２枚のプレートは積層されて、壁孔を通して壁裏に配置され、壁裏で積層状態が解かれ、拡開、すなわち展開させ、壁裏に当接させて取付けられるものである。
【００２５】
図１に示されるように、この発明の構造物取付け具１は、２枚のプレート２，３とボルト４、およびナット８から構成されるものである。これら２枚のプレート２，３は、構造物取付け具１を取付ける壁面Ｗに設けた壁孔Ｈとほぼ同一形状の円盤状を有し、プレート２，３の円盤の直系より、若干大き目の直径を有する円形の壁孔Ｈを通して壁裏に配置されもので、プレート２，３が壁孔Ｈを通過し得るように壁孔Ｈより若干小さめ形成されたもので、通常は、壁孔Ｈが丸く設けられるため、円盤状とされるが、壁孔Ｈの形状に従ってプレート２，３が、あるいはプレート２，３の形状に副って壁孔Ｈが設けられるので、２枚のプレート２，３は平面視同一形状である。（図２参照）
【００２６】
この２枚のプレート２，３のうち、一方のプレート２の外周縁近傍に、所要長さのボルト４の基部が溶接などにより偏心させて固着されている。他方のプレート３には、プレート２のボルト４の固定位置と相対した位置に、挿通したボルト４を中心として該プレート３を回転自在とする貫通孔５が、前記プレート２のボルト４の固定位置と相対した位置に設けられている。また、プレート２，３には、各プレート２，３を直線方向に拡開積層した際に、両者の結合をより確実にするために、係合突起６，６と係合孔７，７が、それぞれ設けられている。
【００２７】
なお、前記ナット８は蝶ナットからなるもので、前記プレート２，３を重ね合せて仮固定する際、あるいは拡開積層したプレート２，３を固定するために用いられるもので、同一の機能を奏することができるものであれば代替可能で、必ずしも蝶ナットである必要はないものである。
【００２８】
また、他方のプレート３に係合段部Ｄが形成され、プレート３を、３ａと３ｂに二分している。これは、プレート２，３を直線上に拡開積層した際に、図２に示されるように、２枚のプレート２，３により同一平面９が形成され、壁面Ｗの裏側に密着させることを可能とするものである。
【００２９】
この発明の構造物取付け具１を、壁裏に取付ける際は、図３に示すように、壁面Ｗに、重ね合わせた２枚のプレート２，３を通すことのできる壁孔Ｈを設け、重ね合わせた２枚のプレート２，３をナット８で仮固定した構造物取付け具１を、壁孔Ｈを通して壁面Ｈ裏側に載置する。
なお、２枚のプレート２，３を重ね合わせた状態の側面図を図４に示す。
【００３０】
ついで、図４に示すように、壁裏にボルト４が下方に位置する状態で配置された構造物取付け具１は、重ね合わせた２枚のプレート２，３を仮固定したナット８を緩めると、ボルト４に回転自在に装着したプレート３が自重により１８０°回転し、プレート２，３が垂直方向に拡開した状態になる。そこで、ナット８を締めてその状態を固定すると、図５に示されるように、壁裏壁面に当接する平面９が形成される。なお、自重によりプレート３を１８０°回転させる代わりに、ボルト４を回転させることにより、ボルト４に固定されたプレート２を１８０°回転させてもよい。
【００３１】
プレート２，３が拡開した状態で固定された構造物取付け具１は、ボルト４の先端部を壁表に突出させ、図６に示されるように、突出したボルト４に金属製又は樹脂製の固定板１０を遊嵌させたのち、ボルト４に、ボルト４の軸径とほぼ同径ないし若干径の小さな挿通孔を中心部に形成した樹脂製の係止板１２を圧入しながら壁面Ｗ側に押付け、構造物取付け具１を壁面Ｗに固定するものである。
【００３２】
なお、壁面４表に突出したボルト４には、さらに樹脂製の係止板１２を介して握りバー１３を構成するブラケット１４を軸装し、しかるのちボルト４にナット１５を係合させ、壁面Ｗ表に握りバー１３を固定するもので、図中、１５はブラケット１４のキャップ１６を示すものである。
【００３３】
なお、係止板１２としては、材質として硬質樹脂、例えばポリプロピレンなどのポリオレフィンを用い、ボルト４のための貫通孔の直径を、ボルト４の直径と同等若しくはやや小さくして、プレート２，３及び固定板１０で壁面Ｗを挟みつけ両者を固定するものが好ましいが、必ずしもそのような機能を有しなければならないというものではない。
【００３４】
図７は、壁面Ｗに固定された握りバー１３のブラケット１４の取付け構造を示す切断図であって、プレート２，３と固定板１０と係止板１２により壁面Ｗにブラケット１４が取付け固定されていること、プレート２，３の固定用のナット８が壁面Ｗの厚みのなかに納まっていることを示している。なお、ナット８は、壁面の厚さに応じて種々の固定具に変更し得るものである。
【００３５】
この発明によれば、手摺りや把手などの器具・内装備品などの構造物を既存の壁面に後付けする際に必要な、壁面の裏面、特に裏面の隙間が狭小な壁面への補強を、単純で容易な操作で確実に行うことができ、しかも、該２枚のプレートを用いることにより、手摺りや把手などの構造物を確実に、かつ強固に、しかも容易に壁面に取付けることができるもので、建築物、特に住居の内装、その改良・改善に有効な技術で、それらの分野で広く利用される、優れた方法である。
【図面の簡単な説明】
【００３６】
【図１】この発明にかかる壁面の構造物取付け具の一例を示す斜視図である。
【図２】前記構造物取付け具において、２枚のプレートが拡開した状態の側面図である。
【図３】前記構造物取付け具を壁孔に通す直前の状態を示す斜視図である。
【図４】前記構造物取付け具を壁裏に配置した直後の状態を示す側面図である。
【図５】前記構造物取付け具を壁裏で拡開させた状態を示す斜視図である。
【図６】前記構造物取付け具を用いて握りバーを取付ける際の組立分解図である。
【図７】前記握りバーのブラケットの取付構造を示す断面図である。
【符号の説明】
【００３７】
１                構造物取付け具
２，３            プレート
４                ボルト
５                貫通孔
６                突起
７                嵌合孔
８                ナット
９                平面
１０              固定板
１１              パッキン
１２              係止板
１３              握りバー
１４              ブラケット
１５              ナット
１６              キャップ
１７，１８        パッキン
【図１】
2005350899.tif 000003
【図２】
2005350899.tif 000004
【図３】
2005350899.tif 000005
【図４】
2005350899.tif 000006
【図５】
2005350899.tif 000007
【図６】
2005350899.tif 000008
【図７】
2005350899.tif 000009